【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
座標値および／またはコード値が繰り返し定義されたドットパターンが少なくとも一部領域に配置され、該一部領域の少なくとも一部に書き込み領域が設けられた表示パネルを備える手書き入力ボードと、
該表示パネルをなぞるかまたはタッチして軌跡を描くスキャナーペンと、
を備えた手書き入力ボードを用いた手書き入力システムであって、
該スキャナーペンは、
該表示パネルに設けられた該ドットパターンを光学的に読み取る光学読取手段と、ドットコード解析手段を備え、
該表示パネルをなぞるかまたはタッチして該ドットパターンを連続して撮像し、該ドットコード解析手段により、該ドットパターンを解析して座標値および／またはコード値を出力し、
該手書き入力ボードは、
該スキャナーペンでなぞるかまたはタッチした軌跡が所定の表示方法により該表示パネルに可視的に表示され、
表示された該軌跡を消去するための消去手段を備えた、
手書き入力ボードを用いた手書き入力システム。
【請求項２】
前記少なくとも一部領域に配置されたドットパターンには、
所定の領域または全領域に前記表示パネルを特定するためコード値および／または所定の書き込み領域を特定するコード値が定義されている、
ことを特徴とする請求項１記載の手書き入力ボードを用いた手書き入力システム。
【請求項３】
前記少なくとも一部領域に配置されたドットパターンには、
所定の領域に指示命令および／または情報が関連付けられたコード値が定義されている、
ことを特徴とする請求項１記載の手書き入力ボードを用いた手書き入力システム。
【請求項４】
前記表示パネルは、
少なくとも前記ドットパターンが配置された領域において、赤外線を吸収するインクで印刷された該ドットパターンを配置し、該ドットパターンを形成するドット部分を除く領域は赤外線を反射し、
前記光学読取手段は、
所定の波長の赤外線を照射する赤外線照射手段と、
所定の波長領域の赤外線のみを透過する赤外線フィルターと、
少なくとも透過した該赤外線を撮像できるセンサーを備え、
該表示パネルに形成された該ドットパターンを撮像する、
ことを特徴とする請求項１記載の手書き入力ボードを用いた手書き入力システム。
【請求項５】
前記表示パネルには、該ドットパターンに赤外線を反射または透過するインクで文字や表、画像を重畳印刷する、
ことを特徴とする請求項４記載の手書き入力ボードを用いた手書き入力システム。
【請求項６】
前記表示パネルには、
透過シートのいずれかの一面側に前記ドットパターンが配置されたドットパターン層が設けられ、
該表示パネル側と反対側に該ドットパターン層が設けられた場合には、赤外線および可視光を透過する特性を有する保護層と、が該透過シートに積層されている情報入力補助シートが貼付されている、
ことを特徴とする請求項４記載の手書き入力ボードを用いた手書き入力システム。
【請求項７】
前記表示パネルには、
透過シートのいずれかの一面側に前記ドットパターンが配置されたドットパターン層が設けられ、
該表示パネル側に該ドットパターン層が設けられた場合には、該ドットパターン層の上部に該赤外線反射層を積層し、
該表示パネル側と反対側に該ドットパターン層が設けられた場合には、該ドットパターン層の下部に該赤外線反射層を積層し、該ドットパターン層の上部に赤外線および可視光を透過する特性を有する保護層と、が該透過シートに積層されている情報入力補助シートが貼付されている、
ことを特徴とする請求項４記載の手書き入力ボードを用いた手書き入力システム。
【請求項８】
前記赤外線反射層は、赤外線拡散反射層である、
ことを特徴とする請求項７記載の手書き入力ボードを用いた手書き入力システム。
【請求項９】
前記スキャナーペンは、先端部に磁石が設けられており、
前記表示パネルは、磁性粒子と分散媒とからなる分散流体を封入した磁気泳動表示パネルを設け、該磁気泳動表示パネルの少なくとも一部が前記書き込み領域であり、前記スキャナーペンでなぞった軌跡が該磁性粒子の泳動により表示され、
前記消去手段は、該磁気泳動表示パネルの裏側から磁化されたイレーザーでなぞって該書き込み領域に描かれた該軌跡を該磁性粒子の泳動により消去する、
ことを特徴とする請求項１記載の手書き入力ボードを用いた手書き入力システム。
【請求項１０】
前記磁気泳動表示パネルは、少なくとも１以上のマイクロカプセル磁気泳動表示シートで形成されている、
ことを特徴とする請求項９記載の手書き入力ボードを用いた手書き入力システム。
【請求項１１】
前記マイクロカプセル磁気泳動表示シートが、少なくとも２枚以上所定の方法で綴られている、
ことを特徴とする請求項１０記載の手書き入力ボードを用いた手書き入力システム。
【請求項１２】
前記磁性粒子は、発光材で着色されている。
ことを特徴とする請求項９記載の手書き入力ボードを用いた手書き入力システム。
【請求項１３】
前記スキャナーペンは、先端部に電極が設けられており、
前記表示パネルは、顔料微粒子と分散媒とからなる分散流体を封入した電気泳動表示パネルを設け、該電気泳動表示パネルの少なくとも一部が前記書き込み領域であり、前記スキャナーペンでなぞるかまたはタッチした軌跡が該顔料微粒子の泳動により表示され、
前記消去手段は、電圧印加により該書き込み領域に描かれた該軌跡を該顔料微粒子の泳動により消去する、
ことを特徴とする請求項１記載の手書き入力ボードを用いた手書き入力システム。
【請求項１４】
前記電機泳動表示パネルは、少なくとも１以上のマイクロカプセル電機泳動表示シートで形成されている、
ことを特徴とする請求項１３記載の手書き入力ボードを用いた手書き入力システム。
【請求項１５】
前記分散流体に赤外線反射粒子を混入し、赤外線を拡散反射させる、
ことを特徴とする請求項９〜１４のいずれかに記載の手書き入力ボードを用いた手書き入力システム。
【請求項１６】
前記スキャナーペンには、さらに軌跡情報生成手段を備え、
該スキャナーペンで前記表示パネルをなぞるかまたはタッチして軌跡を描いて読み取った座標値および／またはコード値を、前記ドットコード解析手段で前記書き込み領域かそれ以外の領域をなぞるかまたはタッチした軌跡かを区別して、
該書き込み領域の場合は、該軌跡情報生成手段で軌跡情報を生成する、
ことを特徴とする請求項１記載の手書き入力ボードを用いた手書き入力システム。
【請求項１７】
前記スキャナーペンには、さらに記憶手段を備え、
前記軌跡情報を該記憶手段で記憶媒体に記憶する、
ことを特徴とする請求項１６記載の手書き入力ボードを用いた手書き入力システム。
【請求項１８】
前記スキャナーペンには、さらに送信手段を備え、
前記軌跡情報を該送信手段で情報処理装置に対し送信する、
ことを特徴とする請求項１６記載の手書き入力ボードを用いた手書き入力システム。
【請求項１９】
前記スキャナーペンは、さらに所定の音声を認識すると前記軌跡情報を前記送信手段で前記情報処理装置に対し送信する、音声認識手段を備え、
前記手書き入力ボードは、該軌跡情報に対応する前記軌跡を前記消去手段で消去する際に該所定の音声を発生する音声発生手段を備えている、
ことを特徴とする請求項１８記載の手書き入力ボードを用いた手書き入力システム。
【請求項２０】
前記手書き入力ボードは、摺動機構を備えており、
当該摺動機構の作動により、前記スキャナーペンの軌跡を可視的に消去可能にするとともに、前記摺動機構の所定周波数の動作音を発生させる手段を備えており、
前記スキャナーペンは、前記所定周波数の動作音を検出することによって、前記軌跡情報を前記送信手段を経由して前記情報処理装置に対して送信することにより、
手書き入力ボード側に電子機構を備えることなく可視的な軌跡の消去と同時にスキャナーペンからの軌跡情報の送信を可能にしたことを特徴とする請求項１８記載の手書き入力ボードを用いた手書き入力システム。
【請求項２１】
前記音声発生手段は、前記摺動機構の衝突音を発生させるか、またはさせないための物理的なボタンを備えている、
ことを特徴とする請求項１９記載の手書き入力ボードを用いた手書き入力システム。
【請求項２２】
前記手書き入力ボードは、前記摺動機構に対する物理的な係合部を備え、
前記音声発生手段は、前記消去手段で消去する前記軌跡が表示された領域に連動する所定の音声を発生させ、
前記音声認識手段は、該所定の音声を認識し、該音声に連動した領域に表示されていた該軌跡に対応する前記軌跡情報を前記送信手段で前記情報処理装置に対し送信する、
ことを特徴とする請求項１９記載の手書き入力ボードを用いた手書き入力システム。
【請求項２３】
前記スキャナーペンには、さらに出力手段を備え、
該スキャナーペンで前記表示パネルをなぞるかまたはタッチして軌跡を描いて読み取った座標値および／またはコード値を、前記ドットコード解析手段で前記書き込み領域かそれ以外の領域をなぞるかまたはタッチした軌跡かを区別して、
該書き込み領域以外の場合は、該座標値および／またはコード値に対応する音声および／または画像を出力手段で出力・表示する、
ことを特徴とする請求項１６記載の手書き入力ボードを用いた手書き入力システム。
【請求項２４】
前記スキャナーペンには、さらに軌跡情報解析手段を備え、
前記書き込み領域の場合は、前記軌跡情報生成手段で軌跡情報を生成し、該軌跡情報を該軌跡情報解析手段で解析し、対応する音声および／または画像を出力手段で出力・表示する、
ことを特徴とする請求項２３記載の手書き入力ボードを用いた手書き入力システム。
【請求項２５】
前記軌跡情報生成手段は、
前記書き込み領域以外の所定の領域を前記スキャナーペンでタッチした後、前記書き込み領域に任意の数字および／または記号をなぞって描き、前記消去手段で消去し、続けて該書き込み領域になぞって描いた軌跡と該所定の数字および／または記号をインデックスとして前記軌跡情報を生成する、
ことを特徴とする請求項１６記載の手書き入力ボードを用いた手書き入力システム。
【請求項２６】
前記スキャナーペンは、手書き入力ボードに備えられた前記消去手段に替えて、
前記表示パネルに表示された軌跡を消去するための消去手段を設け、該軌跡の一部または全部を消去できる、
ことを特徴とする請求項１記載の手書き入力ボードを用いた手書き入力システム。
【請求項２７】
前記スキャナーペンは、
前記光学読取手段の反対側端部および／または腹部に、前記イレーザーを設け、前記軌跡の一部または全部を消去できる、
ことを特徴とする請求項９記載の手書き入力ボードを用いた手書き入力システム。
【請求項２８】
前記スキャナーペンは、
前記光学読取手段の反対側端部および／または腹部に、前記イレーザーを設け、前記軌跡の一部または全部を消去することが可能である、
ことを特徴とする請求項１３記載の手書き入力ボードを用いた手書き入力システム。
【請求項２９】
前記スキャナーペンは、
防水処理を施してある、
ことを特徴とする請求項１〜２８のいずれかに記載の手書き入力ボードを用いた手書き入力システム。
【請求項３０】
請求項１〜２８のいずれかに記載の手書き入力ボードを用いた手書き入力システムに用いられる手書き入力ボード。
【請求項３１】
請求項１〜２８のいずれかに記載の手書き入力ボードを用いた手書き入力システムに用いられるスキャナーペン。
【請求項３２】
座標値および／またはコード値が繰り返し定義されたドットパターンが少なくとも一部領域に配置され、該一部領域の少なくとも一部に書き込み領域が設けられた表示パネルと、該表示パネルに表示された軌跡を消去するための消去手段を備えた手書き入力ボードと、
該表示パネルに設けられた該ドットパターンを光学的に読み取る光学読取手段と、該ドットパターンを解析して座標値および／またはコード値を出力するドットコード解析手段と、該ドットコード解析手段により解析された座標値または、座標値およびコード値から軌跡情報を生成する軌跡情報生成手段と、該軌跡情報または、座標値および／またはコード値を送信する送信手段と、を備えたスキャナーペンと、
該スキャナーペンと有線または無線で接続された、該軌跡情報を解析する軌跡情報解析手段を備えた情報処理装置と、
を備えた手書き入力ボードを用いた情報処理システムであって、
該光学読取手段は、該スキャナーペンで該表示パネルをなぞるかまたはタッチして軌跡を描いて該表示パネルに設けられたドットパターンを連続して撮像し、
該ドットコード解析手段は、該ドットパターンを解析して、座標値および／またはコード値を出力し、
該表示パネルは、該軌跡を表示し、
該軌跡情報生成手段は、該書き込み領域に描かれた座標値および／またはコード値から該軌跡情報を生成し、
該送信手段は、該軌跡情報または、座標値および／またはコード値を該情報処理装置に送信し、
該情報処理装置は、該軌跡情報を該軌跡情報解析手段で認識し、該認識または、該座標値および／またはコード値に対応した指示命令の実行および／または関連付けられた情報の出力を行う、ことを特徴とする、手書き入力ボードを用いた情報処理システム。
【請求項３３】
前記情報処理手段は、前記記憶装置が装着されると、前記座標値および／またはコード値に対応した指示命令の実行またはマルチメディア情報の出力を行う、
ことを特徴とする、請求項３２記載の手書き入力ボードを用いた情報処理システム。
【請求項３４】
座標値および／またはコード値が繰り返し定義されたドットパターンが少なくとも一部領域に配置され、該一部領域の少なくとも一部に書き込み領域が設けられた表示パネルと、該表示パネルに表示された軌跡を消去するための消去手段を備えた複数の手書き入力ボードと、
該表示パネルに設けられた該ドットパターンを光学的に読み取る光学読取手段と、該ドットパターンを解析して座標値および／またはコード値を出力するドットコード解析手段と、該ドットコード解析手段により解析された座標値または、座標値およびコード値から軌跡情報を生成する軌跡情報生成手段と、該軌跡情報または、座標値および／またはコード値を送信する送信手段と、を備えた複数のスキャナーペンと、
該スキャナーペンと有線または無線で接続された、該軌跡情報を解析する軌跡情報解析手段を備えた１または複数の情報処理装置と、
を備えた手書き入力ボードを用いた情報処理システムであって、
該情報処理装置は、いずれかのスキャナーペンの送信手段から送信された該軌跡情報およびスキャナーペンのＩＤを認識し、該軌跡情報の認識または、該座標値および／またはコード値に対応した指示命令の実行および／または関連付けられた情報の出力を行う、ことを特徴とする、手書き入力ボードを用いた情報処理システム。
【請求項３５】
前記ドットパターンは、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列した、ストリームドットパターンを複数並べて形成される請求項１〜２９のいずれかに記載の手書き入力ボードを用いた手書き入力システム、請求項３０記載の手書き入力ボード、または請求項３２〜３４のいずれかに記載の手書き入力ボードを用いた情報処理システム。
【請求項３６】
前記ストリームドットは、
第二の仮想基準線を定義するために、および/または前記ドットパターンの方向と１つのＸＹ座標値および／またはコード値を定義するために、さらに基準となる基準ドットを所定の位置に設けた
ことを特徴とする請求項３５記載の手書き入力ボードを用いた手書き入力システム、手書き入力ボードまたは手書き入力ボードを用いた情報処理システム。
【手続補正２】
【補正対象書類名】明細書
【補正対象項目名】発明の名称
【補正方法】変更
【補正の内容】
【発明の名称】手書き入力ボードを用いた手書き入力システム、手書き入力ボード、スキャナーペンおよび手書き入力ボードを用いた情報処理システム
【手続補正３】
【補正対象書類名】明細書
【補正対象項目名】００１２
【補正方法】変更
【補正の内容】
【００１２】
（１）上記課題を解決するために、本発明に係る手書き入力ボードを用いた手書き入力システムは、座標値および／またはコード値が繰り返し定義されたドットパターンが少なくとも一部領域に配置され、該一部領域の少なくとも一部に書き込み領域が設けられた表示パネルを備える手書き入力ボードと、該表示パネルをなぞるかまたはタッチして軌跡を描くスキャナーペンと、を備えた手書き入力ボードを用いた手書き入力システムであって、該スキャナーペンは、該表示パネルに設けられた該ドットパターンを光学的に読み取る光学読取手段と、ドットコード解析手段を備え、該表示パネルをなぞるかまたはタッチして該ドットパターンを連続して撮像し、該ドットコード解析手段により、該ドットパターンを解析して座標値および／またはコード値を出力し、該手書き入力ボードは、該スキャナーペンでなぞるかまたはタッチした軌跡が所定の表示方法により該表示パネルに可視的に表示され、表示された該軌跡を消去するための消去手段を備えた、ことを特徴とする。